(57)【要約】【課題】木製やプラスチック製のパレットと同程度の耐荷重強度、耐久性を備え、且つ低コストで作製可能で、廃棄処理も容易な紙製パレットを提供する。【解決手段】金属薄板からなる所要数の補強桟３を、桁部材２が接着されたデッキボード１の下面に差し込めば、デッキボード１に所要の耐荷重強度、耐久性が付与される。金属材の補強桟３と、紙材のデッキボード１、桁部材２と、合成樹脂製のジョイント部材５を分離できるので、長期の使用により廃棄処理するに至った紙製パレットＡを分別し、各々再利用することが可能になる。【選択図】  図３
2005271939.tif 000002
【特許請求の範囲】
【請求項１】
段ボール等の板紙からなるデッキボードの下面に、段ボール等の板紙からなる所要数の桁部材をフォーク挿入用の隙間をあけて並列状に貼り付け、且つ前記デッキボードの下面に、金属薄板からなる所要数の補強桟を、所定の間隔をあけて、前記桁部材と直交する方向に沿って取り付けてなる紙製パレット。
【請求項２】
前記各補強桟が、前記各桁部材に設けた差込孔に抜き差し自在に差し込まれて、デッキボードと各桁部材に対し分離可能に取り付けられていることを特徴とする請求項１記載の紙製パレット。
【請求項３】
前記各補強桟の長さ方向の両端部に、前記差込孔に係脱自在に係合して、該補強桟がデッキボード下面に取り付けられた状態を解除可能に維持するジョイント部材を設けたことを特徴とする請求項２記載の紙製パレット。
【請求項４】
前記ジョイント部材が前記補強桟の端部に着脱自在に装着されていることを特徴とする請求項３記載の紙製パレット。
【発明の詳細な説明】
【技術分野】
【０００１】
本発明は、多層段ボール等の板紙により作製される紙製のパレットに関する。
【背景技術】
【０００２】
従来から、段ボール等の板紙からなるデッキボードの下面に、段ボール等の板紙からなる所要数の桁部材をフォーク受け入れ用の隙間をあけて並列状に貼り付けてなる紙製パレットが知られている。
この種紙製パレットは、軽量で、安価に作製でき、しかも、廃棄の際の分解（解体）に手間がかからず、且つリサイクル性にも優れるため、木製又はプラスチック製のパレットに変わって普及してきている。
【０００３】
ところで、この種紙製パレットにおいては、デッキボード上に載せられた荷物の荷重に対する耐荷重強度が不足し、桁部材が押し潰されたり、或いは、荷積みや荷降ろしの際に挿し込まれたフォーク爪が支点となってデッキボードが折れ曲がってしまうなどの問題が未だに残されている。
【０００４】
このような問題を解消するには、デッキボードや桁部材を形成する板紙として、多層段ボールを複数枚貼り合せたものを用いたり、或いは特許文献１、２などに開示されるように、耐荷重強度に優れ、木製の板材と同等の撓み強度が得られる構造の紙製パレットを用いることが考えられる。
【０００５】
【特許文献１】実開平７−２８０２５号公報
【特許文献２】特開２００１−１２２２６４号公報
【発明の開示】
【発明が解決しようとする課題】
【０００６】
しかし、多層段ボールを複数枚貼り合せた板紙を用いてデッキボードや桁部材を作製したり、前記特許文献に開示されたような複雑な構成の紙製パレットとする場合、作製に手間が掛かると共に紙材の使用量が多くなるので、木製やプラスチック製のパレットよりも製造コストが高くなる虞れがある。
【０００７】
本発明はこの様な従来事情に鑑みてなされたもので、木製やプラスチック製のパレットと同程度の耐荷重強度、耐久性を備え、且つ低コストで作製可能な新規な紙製パレットを提供することを課題とする。また本発明は、前記課題に加え廃棄処理も容易である紙製パレットを提供することを目的とする。
【課題を解決するための手段】
【０００８】
以上の目的を達成するために、本発明に係る紙製パレットは、段ボール等の板紙からなるデッキボードの下面に、段ボール等の板紙からなる所要数の桁部材をフォーク挿入用の隙間をあけて並列状に貼り付け、且つ前記デッキボードの下面に、金属薄板からなる所要数の補強桟を、所定の間隔をあけて、前記桁部材と直交する方向に沿って取り付けてなることを特徴とする。
このように構成した場合、多層段ボールを複数枚貼り合せた板紙を用いてデッキボードや桁部材を作製したり、複雑な構造の紙製パレットとするようなことなく、金属薄板からなる所要数の補強桟をデッキボード下面に取り付けるだけで、デッキボードに所要の耐荷重強度、耐久性を付与することができる。
【０００９】
前記各補強桟は、前記各桁部材に設けた差込孔に抜き差し自在に差し込まれて、デッキボードと各桁部材に対し分離可能に取り付けられていることが好ましい。
このような構成とした場合、各補強桟と、デッキボード、桁部材とを容易に分離することができるので、長期の使用により廃棄処理するに至った紙製パレットを、紙材と金属材に容易に分別し、各々再利用することが可能になる。
【００１０】
前記各補強桟の長さ方向の両端部に、前記差込孔に係脱自在に係合して、該補強桟がデッキボード下面に取り付けられた状態を解除可能に維持するジョイント部材を設けることが好ましい。
このような構成とした場合、各補強桟がデッキボード下面に移動不能に取り付けられるので、使用中に補強桟が脱落するような虞れがなく、安全な運搬作業を可能としながら、前記の利点を得ることができる。
【００１１】
前記ジョイント部材が、前記補強桟の端部に着脱自在に装着されていることが好ましい。
このような構成によれば、例えば、差込孔に対し弾性係合が可能なようジョイント部材を合成樹脂で成形したとしても、ジョイント部材と補強桟を分離することができるので、廃棄処理に際し、補強桟を金属材と合成樹脂材に容易に分別して、各々再利用することが可能になる。
【発明の効果】
【００１２】
本発明以上説明したような構成としたので、木製やプラスチック製のパレットと同程度の耐荷重強度、耐久性を備え、且つ低コストで作製可能な新規な紙製パレットを提供することができた。
【００１３】
また、構成要素であるデッキボード，桁部材と補強桟とを分離可能にした場合は、廃棄の際の分解を容易に行えると共に、紙材と金属材に容易に分別できるので、廃棄後の処理やリサイクル性をも考慮した地球環境にやさしい紙製パレットとして提供することができる。ジョイント部材を備えた場合は、使用時の安全性を考慮しながら前記効果を得ることができる。さらに、ジョイント部材を分離可能とした場合、補強桟のさらなる細分化を可能として、前記効果をより実効あるものとし得るなど、多くの効果を有する。
【発明を実施するための最良の形態】
【００１４】
以下、本発明の実施形態の一例を図１〜図６を参照して説明する。
本例の紙製パレットＡは、前後二方向にフォーク挿入用の隙間Ｓを有する所謂二方差しタイプのパレットであり、デッキボート１の下面に所要数の桁部材２と補強桟３を取り付けてなる。
【００１５】
デッキボード１は多層段ボールなどの板紙からなる四角形板で、その下面に、多層段ボールなどの板紙からなる桁部材２が、フォーク挿入用の隙間Ｓをあけて並列状に複数貼り付けられている。
【００１６】
それぞれの桁部材２の上面（デッキボード１に対する貼り付け面）には、補強桟３が抜き差し自在に差し込まれる差込孔となる凹部４が、所定間隔毎に形成されている。また、それぞれの桁部材２の左右側面における前記凹部４の直下には、後述するジョイント部材５のストッパー片５ｃが抜き差し自在に差し込まれる係合孔６が形成されている。
【００１７】
補給桟３は、所定の金属材、例えばメッキ鋼板などの金属薄板を、図６に示すような凹凸断面となるよう成形したスチール板からなり、前記凹部４に抜き差し自在に差し込まれて、各桁部材２と直交する状態で、デッキボード１の下面に着脱可能に装着されている。
また、各補強桟３は、長さ方向の両端部に取り付けたジョイント部材５により、デッキボード１への装着状態が維持され、不用意な脱落が防止されている。
【００１８】
ジョイント部材５は、図６に示すように、補強桟３の凹部３ａに抜き差し可能に挿入される略櫛歯状の連結部５ａと、該連結部５ａに対し略直角に折り曲げ自在に連設されるストッパー面５ｂと、該ストッパー面５ｂに対し略直角に折り曲げ自在に連設されるストッパー片５ｃを所望の合成樹脂材などで一体成形してなり、そのストッパー片５ｃを前記係合孔６に差し込むことで補強桟３に摺動を防止して、補強桟３のデッキボード１への装着状態を維持するようになっている。
【００１９】
前記連結部５ａには、補強桟３の端部に設けた孔３ｂに嵌入される突起５ｄが突設されており、使用中などにジョイント部材５が補強桟３かる不用意に抜けることがないよう考慮されていると共に、廃棄処理等の際に、合成樹脂製のジョイント部材５と金属製の補強桟３とを容易に分別し得るようになっている。
【００２０】
ストッパー面５ｂは、桁部材２の側面に当接して前記ストッパー片５ｃとの協働で補強桟３の摺動を防止する機能と、両端に設けた切欠き部５ｅを手掛け部として、補強桟３の抜き差し（デッキボード１に対する補強桟３の取り付け、取り外し）を行う際の操作片としての機能を備えている。
【００２１】
以上のような構成になる本例の紙製パレットＡによれば、図３、図４に示すように、デッキボード１の下面に接着された各桁部材２の凹部４に対し、各補強桟３を差し込んだ後、該補強桟３の両端のジョイント部材５，５を折り曲げてそのストッパー片５ｃを、両端に位置する桁部材２，２の係合孔６に差し込むことで、補強桟３のデッキボード１への装着状態が維持される。
【００２２】
この組み立て状態（図１、図２の状態）において、各桁部材２と補強桟３により、多層段ボールを複数枚貼り合せた場合と同程度若しくはそれ以上の耐荷重強度と耐久性がデッキボード１に付与される。また、ジョイント部材５により各補強桟３の摺動が防止されるので、使用中に補強桟が脱落するような虞れがなく、安全に運搬作業などを行うことができる。
【００２３】
また、紙製パレットＡを廃棄処分する場合は、ジョイント部材５によるロック状態を解除した後、各補強桟３を引き抜き、さらに各ジョイント部材５を補強桟３から引く抜くことで、紙材であるデッキボード１，各桁部材２と、金属材である各補強桟３と、合成樹脂材である各ジョイント部材５に分別して処理することができる。
【００２４】
以上、本発明の実施形態の一例を図面を参照して説明したが、本発明に係る紙製パレットは図示例に限定されず、特許請求の範囲に記載された技術的思想の範疇において種々の変更が可能であることは言うまでも無い。
【図面の簡単な説明】
【００２５】
【図１】本発明に係る紙製パレットの実施形態の一例を示す斜視図。
【図２】図１に示す紙製パレットの中央縦断拡大正面図。
【図３】図１に示す紙製パレットの底面側の斜視図で、補強桟を抜き差しする状態を示す。
【図４】図３における補強桟の端部を示す拡大断面図で、（ａ）はジョイント部材によるロックが解除された状態、（ｂ）は同ロック状態を表す。
【図５】桁部材の斜視図。
【図６】補強桟の端部とジョイント部材を示す拡大斜視図。
【符号の説明】
【００２６】
Ａ：紙製パレット
１：デッキボード
２：桁部材
３：補強桟
４：凹部（差込孔）
５：ジョイント部材
【図１】
2005271939.tif 000003
【図２】
2005271939.tif 000004
【図３】
2005271939.tif 000005
【図４】
2005271939.tif 000006
【図５】
2005271939.tif 000007
【図６】
2005271939.tif 000008